(57)【要約】【課題】本発明に係る電圧発生回路は、信号生成回路の停止期間に充電用スイッチ回路もしくは出力用スイッチ回路を確実に非導通状態にして無効電流が流れることを防止する。【解決手段】本発明は、信号生成回路４と、コンデンサ３と、充電用スイッチ回路１と、出力用スイッチ回路２と、制御手段とを備える電圧発生回路である。信号生成回路４は、基準信号ＤＣＬＫに基づき制御信号ＣＬＫ１〜３を生成する。コンデンサ３は、一方の端子に制御信号ＣＬＫ２が供給される。充電用スイッチ回路１は、制御信号ＣＬＫ１に基づき、コンデンサ３の他方の端子を所定電位に設定する。出力用スイッチ回路２は、所定電位に設定されたコンデンサ３の他方の端子の電位を、制御信号ＣＬＫ３に基づいて出力ノードに出力する。制御手段は、信号生成回路４の停止期間に、充電用スイッチ回路１及び出力用スイッチ回路２のうち少なくとも１つの回路が非導通状態となるように制御する。【選択図】図２
2007202256.tif 000002
【特許請求の範囲】
【請求項１】
基準信号に基づき第１制御信号、第２制御信号及び第３制御信号を生成する信号生成回路と、
一方の端子に前記第２制御信号が供給されるコンデンサと、
前記第１制御信号に基づき、前記コンデンサの他方の端子を所定電位に設定する充電用スイッチ回路と、
所定電位に設定された前記コンデンサの前記他方の端子の電位を、前記第３制御信号に基づいて出力ノードに出力する出力用スイッチ回路とを備え、
前記信号生成回路の停止期間に、前記充電用スイッチ回路及び前記出力用スイッチ回路のうち少なくとも１つの回路が非導通状態となるように制御する制御手段をさらに備えることを特徴とする電圧発生回路。
【請求項２】
請求項１に記載の電圧発生回路であって、
前記制御手段は、前記充電用スイッチ回路の制御ノードに供給される電位を制御可能な初期化用スイッチ回路を備え、
前記信号生成回路の停止期間に、前記初期化用スイッチ回路を導通させて、前記充電用スイッチ回路が非導通状態となる前記制御ノードの電位に制御することを特徴とする電圧発生回路。
【請求項３】
請求項１に記載の電圧発生回路であって、
前記制御手段は、前記出力用スイッチ回路の制御ノードに供給される電位を制御可能な初期化用スイッチ回路を備え、
前記信号生成回路の停止期間に、前記初期化用スイッチ回路を導通させて、前記出力用スイッチ回路が非導通状態となる前記制御ノードの電位に制御することを特徴とする電圧発生回路。
【請求項４】
請求項１に記載の電圧発生回路であって、
前記制御手段は、一方の端子が前記充電用スイッチ回路の制御ノードに、他方の端子が前記出力ノードに、制御端子が外部電源にそれぞれ接続された初期化用スイッチ回路を備え、
信号生成回路の停止期間に、前記初期化用スイッチ回路を導通させて、前記充電用スイッチ回路が非導通状態となる前記制御ノードの電位に制御することを特徴とする電圧発生回路。
【請求項５】
請求項１に記載の電圧発生回路であって、
前記制御手段は、前記充電用スイッチ回路の制御ノードと前記出力ノードとの間に初期化用抵抗を備え、
信号生成回路の停止期間に、前記初期化用抵抗は、前記充電用スイッチ回路が非導通状態となる前記制御ノードの電位に設定することを特徴とする電圧発生回路。
【請求項６】
請求項１に記載の電圧発生回路であって、
前記出力ノードの電位を初期化する初期化回路をさらに備え、
前記制御手段は、前記充電用スイッチ回路の制御ノードに供給される電位を制御可能な初期化用スイッチ回路を備え、
前記初期化回路に供給される制御信号が、前記初期化用スイッチ回路の制御信号として供給され、前記出力ノードの初期化時に、前記初期化用スイッチ回路を導通させて、前記充電用スイッチ回路が非導通状態となる前記制御ノードの電位に制御することを特徴とする電圧発生回路。
【発明の詳細な説明】
【技術分野】
【０００１】
本発明は、電圧発生回路に係る発明であって、特に、ＤＣ−ＤＣコンバータに使用される電圧発生回路に関するものである。
【背景技術】
【０００２】
チャージポンプ型のＤＣ−ＤＣコンバータに使用される電圧発生回路には、特許文献１に記載されている構成がある。特許文献１に係る電圧発生回路は、充電用スイッチ回路、出力用スイッチ回路及び電位設定用コンデンサのそれぞれに対して信号生成回路より制御信号が供給される。信号生成回路は、システム側より供給される基準信号に基づいて、制御信号を生成している。
【０００３】
また、電圧発生回路の動作時には、まず信号生成回路で生成された所定周期により信号レベルが切り替わる制御信号が、充電用スイッチ回路の制御ノードに入力される。制御信号が入力され充電用スイッチ回路が導通状態となることで、電位設定用コンデンサの一端の電位を外部電源電圧に設定する。
【０００４】
電位設定用コンデンサの一端の電位を設定後、充電用スイッチ回路を非導通状態にして、電位設定用コンデンサの一端を電気的に切断する。切断後に、制御信号を電位設定用コンデンサに入力し、所定の期間に出力用スイッチ回路を導通状態にすることで昇圧された電位設定用コンデンサの電圧が出力される。
【０００５】
【特許文献１】特開２００４−２２９４３４号公報
【発明の開示】
【発明が解決しようとする課題】
【０００６】
特許文献１に示した構成の場合、例えば電圧発生回路の立ち上げ時や立ち下げ時には基準信号が止められており、信号生成回路によって制御信号は生成されず、出力側に電力は供給されない。
【０００７】
しかし、電圧発生回路の停止時（信号生成回路の停止期間）に、出力が任意の負荷回路に接続され電力が消費される場合、電圧発生回路の出力ノードの電圧が下がることになる。特許文献１の場合、出力ノードの電位が外部電源より下がると、充電用スイッチ回路と出力用スイッチ回路とが導通状態となり、外部電源から電圧発生回路の出力ノード等へ無効電流が流れ続けることになる。
【０００８】
そこで、本発明は、信号生成回路の停止期間に、充電用スイッチ回路もしくは出力用スイッチ回路を確実に非導通状態にして無効電流が流れることを防止する電圧発生回路を提供することを目的とする。
【課題を解決するための手段】
【０００９】
本発明に係る解決手段は、基準信号に基づき第１制御信号、第２制御信号及び第３制御信号を生成する信号生成回路と、一方の端子に第２制御信号が供給されるコンデンサと、第１制御信号に基づき、コンデンサの他方の端子を所定電位に設定する充電用スイッチ回路と、所定電位に設定されたコンデンサの他方の端子の電位を、第３制御信号に基づいて出力ノードに出力する出力用スイッチ回路とを備え、信号生成回路の停止期間に、充電用スイッチ回路及び出力用スイッチ回路のうち少なくとも１つの回路が非導通状態となるように制御する制御手段をさらに備える。
【発明の効果】
【００１０】
本発明に記載の電圧発生回路は、充電用スイッチ回路及び出力用スイッチ回路のうち少なくとも１つの回路が非導通状態となるように制御する制御手段をさらに備えるので、充電用スイッチ回路もしくは出力用スイッチ回路を確実に非導通状態にして無効電流が流れることを防止することができる。
【発明を実施するための最良の形態】
【００１１】
本発明に係る実施の形態を説明する前に、前提となる電圧発生回路の構成について、図１を用いて説明する。なお、本発明に係る電圧発生回路は、主にチャージポンプ型のＤＣ−ＤＣコンバータに適用される。
【００１２】
図１に、前提となる電圧発生回路の回路図を示す。図１に示す電圧発生回路の構成では、充電用スイッチ回路１及び出力用スイッチ回路２、電位設定用コンデンサ３、信号生成回路４を備えている。ここで、信号生成回路４は、システム側より供給される基準信号ＤＣＬＫから、電圧発生回路の制御信号ＣＬＫ１，ＣＬＫ２，ＣＬＫ３を生成する。電圧発生回路は、信号生成回路４で生成された駆動信号ＣＬＫ１，ＣＬＫ２，ＣＬＫ３を、各ノードに印加させることで所定の電圧を発生している。
【００１３】
なお、充電用スイッチ回路１には、例えばＮチャネルＭＯＳトランジスタが用いられ、出力用スイッチ回路２には、例えばＰチャネルＭＯＳトランジスタが用いられる。
【００１４】
次に、図１に示す電圧発生回路の動作を説明する。動作の始め、図１に示す電圧発生回路は、所定周期により信号レベルが切り替わる制御信号ＣＬＫ１が、充電用スイッチ回路１の制御ノードであるノードＡに入力され、充電用スイッチ回路１を導通状態にする。充電用スイッチ回路１が導通状態になると、電位設定用コンデンサ３の一端（ノードＢ）の電位が外部電源５の電圧に設定される。
【００１５】
ノードＢの電位設定完了後、制御信号ＣＬＫ１の信号レベルが切り替わり、充電用スイッチ回路１が非導通状態となりノードＢを電気的に切断する。ノードＢを電気的に切断した後、制御信号ＣＬＫ２が電位設定用コンデンサ３に入力されることによりノードＢの電位が昇圧される。ノードＢの電位が昇圧された後で、且つ充電用スイッチ回路１が非導通状態の期間に、出力用スイッチ回路２が制御信号ＣＬＫ３に基づき導通状態になる。出力用スイッチ回路２が導通することで、電位設定用コンデンサ３により昇圧されたノードＢの電圧が出力ノードＤから出力される。
【００１６】
図１に示した電圧発生回路の場合、例えば電圧発生回路の立ち上げ時や立ち下げ時には基準信号ＤＣＬＫが止まっており、信号生成回路４は電圧発生回路の制御信号ＣＬＫ１，ＣＬＫ２，ＣＬＫ３を生成しない。制御信号ＣＬＫ１，ＣＬＫ２，ＣＬＫ３が供給されない電圧発生回路は、出力ノードＤから電力は出力されない。
【００１７】
次に、図１に示す電圧発生回路では、出力ノードＤに任意の負荷回路６が接続されており、電圧発生回路の停止時（信号生成回路４の停止期間）においても、負荷回路６によって電力が消費される場合がある。負荷回路６によって電力が消費されると、出力ノードＤの電圧が低下することになる。
【００１８】
また、図１に示す電圧発生回路は、信号生成回路４の停止時に、充電用スイッチ回路１のノードＡや出力用スイッチ回路２のノードＣの電位を固定できない回路構成である。そのため、負荷回路６によって出力ノードＤの電位が外部電源５の電位より下がると、ノードＡの電位によっては充電用スイッチ回路１が、ノードＣの電位によっては出力用スイッチ回路２がそれぞれ導通状態となる。充電用スイッチ回路１及び出力用スイッチ回路２が導通状態となると、外部電源５から出力ノードＤまたは負荷回路６を経由して電源（グランド）Ｅヘと無効電流が流れ続けることになる。
【００１９】
そこで、以下の実施の形態に係る電圧発生回路では、当該無効電流が流れることを防止できる電圧発生回路について説明する。
【００２０】
（実施の形態１）
図２に、本実施の形態に係る電圧発生回路の回路図を示す。図２に示す電圧発生回路は、図１で示した回路構成に、初期化用スイッチ回路７をさらに備えた構成である。図２に示す初期化用スイッチ回路７は、ノードＡとグランドＧとの間に設けられ、外部より供給される制御信号ＲＳＴ１により制御される。なお、制御信号ＲＳＴ１は、例えば液晶表示装置の場合、液晶表示パネルに形成された電圧発生回路にＦＰＣ（Flexible Printed Circuit）を介して接続された制御基板から供給されることになる。なお、初期化用スイッチ回路７及び制御信号ＲＳＴ１が、信号生成回路の停止期間に、充電用スイッチ回路１を非導通状態に制御する制御手段である。
【００２１】
また、図２でも、信号生成回路４が、基準信号ＤＣＬＫから制御信号ＣＬＫ１，ＣＬＫ２，ＣＬＫ３を生成している。なお、信号生成回路４は、制御信号ＣＬＫ１を出力する配線がスイッチング回路を介して電源Ｆと接続されている。
【００２２】
図２に示す充電用スイッチ回路１は、信号生成回路４からノードＡに供給された制御信号ＣＬＫ１に基づき、導通／非導通を制御している。なお、充電用スイッチ回路１には、例えばＮチャネルＭＯＳトランジスタが用いられる。充電用スイッチ回路１を導通状態にすることで、図２に示す電位設定用コンデンサ３は、一方の端子であるノードＢに外部電源５の電位が充電される。電位設定用コンデンサ３の他方の端子には、制御信号ＣＬＫ２が供給される。なお、制御信号ＣＬＫ２は、電位設定用コンデンサ３の端子電圧を所定の電圧に制御する信号である。
【００２３】
図２に示す出力用スイッチ回路２は、電位設定用コンデンサ３の端子電圧を出力するスイッチ回路であり、制御信号ＣＬＫ３がノードＣに供給される。つまり、制御信号ＣＬＫ３に基づき出力用スイッチ回路２が導通状態となり、電位設定用コンデンサ３の端子電圧が出力ノードＤより出力される。なお、出力用スイッチ回路２には、例えばＰチャネルＭＯＳトランジスタが用いられる。
【００２４】
図２に示す電圧発生回路では、出力用スイッチ回路２と出力ノードＤとの間に、電圧発生回路の出力を電源とする負荷回路６が接続されている。また、本実施の形態に係る電圧発生回路では、信号生成回路４の停止期間に充電用スイッチ回路１が確実に非導通状態になるように、ノードＡの電位を制御できる初期化用スイッチ回路７を備えている。
【００２５】
次に、本実施の形態に係る電圧発生回路の動作について、図３に示す本実施の形態に係る電圧発生回路のタイミングチャートを用いて説明する。図３に示すタイミングチャートでは、電圧発生回路の立ち下げ時を示している。まず、図３に示すタイミングチャートでは、ＨｉｇｈレベルとＬｏｗレベルとが繰り返される基準信号ＤＣＬＫが信号生成回路４に入力される期間がある。この期間は、制御信号ＣＬＫ１，ＣＬＫ２，ＣＬＫ３が適切に生成され、ノードＡの電圧が制御されている。なお、図３に示すタイミングチャートでは、制御信号ＣＬＫ１，ＣＬＫ２，ＣＬＫ３及びノードＡの当該期間の詳細な波形は省略している。
【００２６】
そして、本実施の形態に係る電圧発生回路では、電圧発生回路の立ち下げ時に基準信号ＤＣＬＫが止められるので、制御信号ＣＬＫ１，ＣＬＫ２，ＣＬＫ３は生成されない。図３に示すタイミングチャートでは、基準信号ＤＣＬＫが停止されるとＨｉｇｈレベルに固定され、制御信号ＣＬＫ１，ＣＬＫ２，ＣＬＫ３がＬｏｗレベルになっている様子が示されている。
【００２７】
また、制御信号ＣＬＫ１，ＣＬＫ２，ＣＬＫ３が生成されない期間（信号生成回路４の停止期間）は、充電用スイッチ回路１のノードＡの電位が固定されず不安定となる。図３に示すタイミングチャートでも、基準信号ＤＣＬＫの停止後、ノードＡの電位が不安定になっている様子が示されている。図３に示す基準信号ＤＣＬＫの停止後から外部電源ＯＦＦ時までの期間に、ノードＡ及びノードＢの電位が不安定となり、ノードＣがＬｏｗレベルとなると、外部電源５から充電用スイッチ回路１及び出力用スイッチ回路２を経由して出力ノードＤまたは負荷回路６の電源（グランド）Ｅへと無効電流が流れることになる。なお、ノードＢの状態は、ノードＡの状態により異なるので図３に示すタイミングチャートでは図示を省略した。
【００２８】
そこで、本実施の形態に係る電圧発生回路では、信号生成回路４の停止期間中、外部より制御信号ＲＳＴ１を供給して初期化用スイッチ回路７を制御することで、ノードＡの電位をグランドレベルに固定する。図３に示すタイミングチャートでは、基準信号ＤＣＬＫの停止期間中（信号生成回路４の停止期間中）にＨｉｇｈレベルの制御信号ＲＳＴ１が入力され、ノードＡの電位がグランドレベルに固定される様子が示されている。なお、図３に示すタイミングチャートでは、本実施の形態の動作を説明するために、基準信号ＤＣＬＫの停止後から制御信号ＲＳＴ１の入力まで期間を長く記載しているが、理想的には当該期間がゼロとなるように制御するのが好ましい。
【００２９】
信号生成回路４の停止期間中に、ノードＡの電位をグランドレベルに固定することで、充電用スイッチ回路１を確実に非導通状態にすることができる。これによって、本実施の形態に係る電圧発生回路では、外部電源５から充電用スイッチ回路１及び出力用スイッチ回路２を経由して出力ノードＤまたは負荷回路６の電源（グランド）Ｅへと流れる無効電流を防止することが可能となる。
【００３０】
一方、信号生成回路４の動作時には初期化用スイッチ回路７を介してグランドＧヘ無効電流が流れ込むのを防ぐため、制御信号ＲＳＴ１により初期化用スイッチ回路７を確実に非導通状態にするように制御する必要がある。なお、図２に示す電圧発生回路では、初期化用スイッチ回路７がノードＡとグランドＧとの間に設けられているが、本発明はこれに限られず、信号生成回路４の停止期間に充電用スイッチ回路１を非導通状態にできる電位であれば良い。
【００３１】
以上のように、本実施の形態に係る電圧発生回路では、充電用スイッチ回路１の制御ノード（ノードＡ）に供給される電位を制御可能な初期化用スイッチ回路７を備え、信号生成回路４の停止期間に、初期化用スイッチ回路７を導通させて、充電用スイッチ回路１が非導通状態となる制御ノード（ノードＡ）の電位に制御する。そのため、本実施の形態に係る電圧発生回路では、充電用スイッチ回路１を確実に非導通状態にして無効電流が流れるのを防止でき、消費電力を低減することができる。
【００３２】
（実施の形態２）
図４に、本実施の形態に係る電圧発生回路の回路図を示す。図４に示す電圧発生回路は、図２に示した初期化用スイッチ回路７の接続を変えた構成である。つまり、図４に示す初期化用スイッチ回路７をＮチャネルＭＯＳトランジスタで構成した場合、初期化用スイッチ回路７のゲート電極を外部電源５に接続する。これにより、本実施の形態では、初期化用スイッチ回路７のゲート電位を制御信号ＲＳＴ１で制御するのではなく、ゲート電位を外部電源５の電位に固定する。さらに、図４では、初期化用スイッチ回路７のノードＡに接続していない他の端子を、出力ノードＤに接続している。
【００３３】
なお、本実施の形態に係る電圧発生回路は、初期化用スイッチ回路７の接続以外について図２と全て同じであるため、初期化用スイッチ回路７以外の構成については詳細な説明は省略する。また、初期化用スイッチ回路７が、信号生成回路の停止期間に、充電用スイッチ回路１を非導通状態に制御する制御手段である。
【００３４】
図４に示す電圧発生回路では、信号生成回路４の停止期間において、出力ノードＤの電位が外部電源５の電位より初期化用スイッチ回路７の閾値Ｖｔｈ分だけ下がった時点で初期化用スイッチ回路７が導通状態となる。初期化用スイッチ回路７が導通状態となると自動的にノードＡの電位が下がり始める。出力ノードＤの電位がグランドレベルまで下がると、充電用スイッチ回路１は完全に非導通状態となり、無効電流が流れることを防止することが可能となる。
【００３５】
以上のように、本実施の形態に係る電圧発生回路では、一方の端子が充電用スイッチ回路１の制御ノード（ノードＡ）に、他方の端子が出力ノードＤに、制御端子（ゲート電極）が外部電源５にそれぞれ接続された初期化用スイッチ回路７を備え、信号生成回路４の停止期間に、初期化用スイッチ回路７を導通させて、充電用スイッチ回路１が非導通状態となる制御ノード（ノードＡ）の電位に制御する。そのため、本実施の形態に係る電圧発生回路では、充電用スイッチ回路１を確実に非導通状態にして無効電流が流れることを防止できる。さらに、本実施の形態に係る電圧発生回路では、初期化用スイッチ回路７への制御信号ＲＳＴ１の供給が不要となり外部回路の構成が簡単となる。
【００３６】
（実施の形態３）
図５に、本実施の形態に係る電圧発生回路の回路図を示す。図５に示す電圧発生回路は、図４に示した初期化用スイッチ回路７を初期化用抵抗８に替えた構成である。つまり、図５に示す電圧発生回路では、初期化用抵抗８の一方の端をノードＡに接続し、他方の端を出力ノードＤに接続する構成としている。なお、本実施の形態に係る電圧発生回路は、初期化用抵抗８以外について図４と全て同じであるため、初期化用抵抗８以外の構成についての詳細な説明は省略する。また、初期化用抵抗８が、信号生成回路の停止期間に、充電用スイッチ回路１を非導通状態に制御する制御手段である。
【００３７】
本実施の形態に係る電圧発生回路は、図５に示す初期化用抵抗８を設けることにより、信号生成回路４を停止させた場合、出力ノードＤの電位が下がるにつれて、自動的にノードＡの電位を下げることができる。そして、本実施の形態に係る電圧発生回路では、ノードＡの電位を下げることにより、充電用スイッチ回路１が非導通状態となるため、無効電流が流れることを防止することが可能となる。
【００３８】
以上のように、本実施の形態に係る電圧発生回路では、充電用スイッチ回路１の制御ノード（ノードＡ）と出力ノードＤとの間に初期化用抵抗８を備え、信号生成回路４の停止期間に、初期化用抵抗８が、充電用スイッチ回路１が非導通状態となる制御ノード（ノードＡ）の電位に設定する。そのため、本実施の形態に係る電圧発生回路では、充電用スイッチ回路１を確実に非導通状態にして無効電流が流れることを防止できる。さらに、本実施の形態に係る電圧発生回路では、信号生成回路４の停止時にノードＡの電位を設定するための制御信号も不要であり外部回路の構成を簡単にできる。
【００３９】
なお、本実施の形態に係る電圧発生回路では、信号生成回路４の動作時に、ノードＡの電位によっては、出力ノードＤから初期化用抵抗８を介して、信号生成回路４に接続された電源Ｆへと電流が流れる経路が存在する。
【００４０】
（実施の形態４）
図６に、本実施の形態に係る電圧発生回路の回路図を示す。図６に示す電圧発生回路は、図２に示す電圧発生回路の構成に、出力ノードＤを初期化する初期化回路９をさらに備えた構成である。信号生成回路４の電源Ｆとして利用する場合、初期化回路９は、電圧発生回路の立ち上げ時に、出力ノードＤの電圧に電圧発生の種となる電圧を与える回路である。また、初期化回路９は、電圧発生回路の立ち下げ時に、出力ノードＤをグランドレベルに固定する回路である。つまり、電圧発生回路の初期化とは、電源投入時（電圧発生回路の立ち上げ時）または遮断時（電圧発生回路の立ち下げ時）に電圧発生回路の出力ノードＤの電圧を所定の電圧に規制することをいう。
【００４１】
図６に示す初期化回路９は、電源ＨとグランドＧとの間に、プルダウン用ＮチャネルＭＯＳトランジスタ１０とプルアップ用ＰチャネルＭＯＳトランジスタ１１とが直列に接続され、プルダウン用ＮチャネルＭＯＳトランジスタ１０とプルアップ用ＰチャネルＭＯＳトランジスタ１１との間のノードＩが出力ノードＤに接続されている。また、図６に示す初期化回路９では、プルダウン用ＮチャネルＭＯＳトランジスタ１０の制御ノードにバッファ回路等１２を介して初期化用制御信号ＲＳＴ２が入力され、プルアップ用ＰチャネルＭＯＳトランジスタ１１の制御ノードにバッファ回路等１３を介して初期化用制御信号ＲＳＴ３が入力される。
【００４２】
なお、初期化用制御信号ＲＳＴ２は、ノードＡとグランドＧとの間に設けられた初期化用スイッチ回路７の制御ノードにも入力される。つまり、本実施の形態に係る電圧発生回路では、実施の形態１で説明した制御信号ＲＳＴ１の替わりに初期化用制御信号ＲＳＴ２を用いて初期化用スイッチ回路７を制御している。従って、初期化用スイッチ回路７及び初期化用制御信号ＲＳＴ２が、信号生成回路の停止期間に、充電用スイッチ回路１を非導通状態に制御する制御手段となる。
【００４３】
次に、本実施の形態に係る電圧発生回路の立ち下げ時の動作を説明する。まず、本実施の形態に係る初期化回路９は、プルダウン用ＮチャネルＭＯＳトランジスタ１０を用いて、出力ノードＤをグランドレベルに設定する。つまり、プルダウン用ＮチャネルＭＯＳトランジスタ１０は、初期化用制御信号ＲＳＴ２に基づき、電圧発生回路の立ち下げ時に導通状態、電圧発生回路の動作時に非導通状態となるように制御される。
【００４４】
一方、電圧発生回路の立ち下げ時に、充電用スイッチ回路１のノードＡの電位は、初期化用制御信号ＲＳＴ２に基づき初期化用スイッチ回路７が導通状態となりグランドレベルに設定される。ノードＡがグランドレベルに設定されると、充電用スイッチ回路１が確実に非導通状態となり、外部電源５から流れる無効電流を防止することが可能となる。
【００４５】
また、図６に示す電圧発生回路において、初期化用スイッチ回路７をＮチャネルＭＯＳトランジスタで構成した場合、初期化用スイッチ回路７の制御ノードに、プルダウン用ＮチャネルＭＯＳトランジスタ１０の制御ノードに入力される初期化用制御信号ＲＳＴ２を同相で供給することが可能となる。つまり、初期化用制御信号ＲＳＴ２のみで、初期化用スイッチ回路７及びプルダウン用ＮチャネルＭＯＳトランジスタ１０を制御することが可能となる。そのため、本実施の形態に係る電圧発生回路は、制御信号ＲＳＴ１が不要となり、外部回路の構成が簡単になる。
【００４６】
初期化用制御信号ＲＳＴ２は、上述したようにプルダウン用ＮチャネルＭＯＳトランジスタ１０を制御して、電源の遮断時（電圧発生回路の立ち下げ時）、出力ノードＤの電圧をグランドレベルに設定している。一方、初期化用制御信号ＲＳＴ３は、プルアップ用ＰチャネルＭＯＳトランジスタ１１を制御して、電源投入時（電圧発生回路の立ち上げ時）、電圧発生回路の電圧レベルを電源Ｈの電圧レベルまで引き上げている。
【００４７】
以上のように、本実施の形態に係る電圧発生回路は、出力ノードＤの電位を初期化する初期化回路９と、充電用スイッチ回路１の制御ノード（ノードＡ）に供給される電位を制御可能な初期化用スイッチ回路７とを備え、初期化回路９に供給される制御信号（初期化用制御信号ＲＳＴ２）と同相の信号が、初期化用スイッチ回路７の制御信号として供給され、出力ノードＤの初期化時に、初期化用スイッチ回路７を導通させて、充電用スイッチ回路１が非導通状態となる制御ノード（ノードＡ）の電位に制御する。そのため、本実施の形態に係る電圧発生回路では、充電用スイッチ回路１を確実に非導通状態にして無効電流が流れることを防止できる。さらに、本実施の形態に係る電圧発生回路では、初期化回路９に供給される初期化用制御信号ＲＳＴ２を初期化用スイッチ回路７の制御に利用できるので、外部回路の構成を簡単にすることができる。
【００４８】
なお、上述した実施の形態１乃至実施の形態４に係る電圧発生回路では、充電用スイッチ回路１を非導通状態に制御する構成について説明したが、本発明に係る電圧発生回路はこれに限られず、出力用スイッチ回路２を非導通状態に制御する構成であっても良い。具体的な例として、出力用スイッチ回路２を非導通状態に制御する電圧発生回路の回路図を図７に示す。図７に示す回路図では、ノードＣと外部電源５との間に初期化用スイッチ回路７が設けられ、当該初期化用スイッチ回路７を外部より供給される制御信号ＲＳＴ１で制御する。これにより、図７に示す電圧発生回路では、信号生成回路４の停止期間に出力用スイッチ回路２を非導通状態にすることが可能となり、無効電流が流れることを防止できる。
【００４９】
また、上述した実施の形態１乃至実施の形態４に係る電圧発生回路では、正電圧発生回路の構成について説明したが、本発明に係る電圧発生回路はこれに限られず、負電圧発生回路の構成であっても良い。具体的には、上述した正電圧発生回路の構成の電圧極性を反対にし、回路を構成するトランジスタの導電型を反対にすることで適用可能である。
【図面の簡単な説明】
【００５０】
【図１】本発明の前提となる電圧発生回路の回路図である。
【図２】本発明の実施の形態１に係る電圧発生回路の回路図である。
【図３】本発明の実施の形態１に係る電圧発生回路のタイミングチャートである。
【図４】本発明の実施の形態２に係る電圧発生回路の回路図である。
【図５】本発明の実施の形態３に係る電圧発生回路の回路図である。
【図６】本発明の実施の形態４に係る電圧発生回路の回路図である。
【図７】出力用スイッチ回路を非導通状態に制御する本発明に係る電圧発生回路の回路図である。
【符号の説明】
【００５１】
１  充電用スイッチ回路、２  出力用スイッチ回路、３  電位設定用コンデンサ、４  信号生成回路、５  外部電源、６  負荷回路、７  初期化用スイッチ回路、８  初期化用抵抗、９  初期化回路、１０  プルダウン用ＮチャネルＭＯＳトランジスタ、１１  プルアップ用ＰチャネルＭＯＳトランジスタ、１２，１３  バッファ回路等。
【図１】
2007202256.tif 000003
【図２】
2007202256.tif 000004
【図３】
2007202256.tif 000005
【図４】
2007202256.tif 000006
【図５】
2007202256.tif 000007
【図６】
2007202256.tif 000008
【図７】
2007202256.tif 000009